【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
ＯＦＤＭ信号を用いた双方向通信を行う双方向通信システムであって、
２つの通信装置の各々は、
所定のガードインターバル長と所定の有効シンボル長を有するＯＦＤＭシンボルを、ＯＦＤＭ信号として相手の通信装置へ送信する送信手段と、
相手の通信装置から送信されたＯＦＤＭ信号を受信する受信手段と、
前記受信手段で受信したＯＦＤＭ信号のシンボル境界を含まない期間で、当該受信したＯＦＤＭ信号の復調処理を行う復調手段と、
前記２つの通信装置の少なくとも一方の通信装置において、前記送信手段によるＯＦＤＭ信号の送信タイミングを、前記受信手段で受信したＯＦＤＭ信号のシンボルタイミングに対して、前記双方向通信におけるＯＦＤＭ信号の往復伝送時間よりも短い所定時間先行するタイミングに設定する設定手段と、を備えることを特徴とする双方向通信システム。
【請求項２】
前記一方の通信装置は、
前記２つの通信装置の間における、ＯＦＤＭ信号の伝送時間を計測して、前記双方向通信における片方向のＯＦＤＭ信号の伝送時間を取得する計測手段を更に備え、
前記設定手段は、前記送信手段におけるＯＦＤＭ信号の送信タイミングを、前記受信手段が受信したＯＦＤＭ信号のシンボルタイミングに対して、前記計測手段により取得された片方向の伝送時間と等しい時間先行するタイミングに設定することを特徴とする請求項１に記載の双方向通信システム。
【請求項３】
前記復調手段は、前記送信手段が送信するＯＦＤＭ信号の有効シンボルの期間で、前記受信手段で受信したＯＦＤＭ信号の復調処理を行うことを特徴とする請求項１に記載の双方向通信システム。
【請求項４】
前記送信手段は、相手の通信装置が送信するＯＦＤＭ信号のサブキャリア周波数と直交するサブキャリア周波数を用いたＯＦＤＭ信号を送信することを特徴とする請求項１に記載の双方向通信システム。
【請求項５】
前記送信手段は、相手の通信装置が送信するＯＦＤＭ信号と当該送信手段が送信するＯＦＤＭ信号のサブキャリア周波数の全部または一部を一致させて送信し、
前記復調手段は、前記受信したＯＦＤＭ信号から、前記送信手段が送信したＯＦＤＭ信号の信号成分を周波数領域で減算する減算補正を行い、減算補正されたＯＦＤＭ信号について前記復調処理を行うことを特徴とする請求項１に記載の双方向通信システム。
【請求項６】
前記復調手段は、相手の通信装置から送信されたＯＦＤＭ信号の有効シンボル期間を前記復調処理の期間とすることを特徴とする請求項１乃至５のいずれか１項に記載の双方向通信システム。
【請求項７】
外部の通信装置との間でＯＦＤＭ信号の双方向通信を行う通信装置であって、
所定のガードインターバル長と所定の有効シンボル長を有するＯＦＤＭシンボルを、ＯＦＤＭ信号として相手の通信装置へ送信する送信手段と、
相手の通信装置から送信されたＯＦＤＭ信号を受信する受信手段と、
前記受信手段で受信したＯＦＤＭ信号のシンボル境界を含まない期間で、当該受信したＯＦＤＭ信号の復調処理を行う復調手段と、
前記送信手段によるＯＦＤＭ信号の送信タイミングを、前記受信手段で受信したＯＦＤＭ信号のシンボルタイミングに対して、前記双方向通信におけるＯＦＤＭ信号の往復伝送時間よりも短い所定時間先行するタイミングに設定する設定手段と、を備えることを特徴とする通信装置。
【請求項８】
外部の通信装置との間でＯＦＤＭ信号の双方向通信を行う通信装置の制御方法であって、
送信手段が、所定のガードインターバル長と所定の有効シンボル長を有するＯＦＤＭシンボルを、ＯＦＤＭ信号として相手の通信装置へ送信する送信工程と、
受信手段が、相手の通信装置から送信されたＯＦＤＭ信号を受信する受信工程と、
復調手段が、前記受信工程で受信したＯＦＤＭ信号のシンボル境界を含まない期間で、当該受信したＯＦＤＭ信号の復調処理を行う復調工程と、
設定手段が、前記送信工程におけるＯＦＤＭ信号の送信タイミングを、前記受信工程で受信したＯＦＤＭ信号のシンボルタイミングに対して、前記双方向通信におけるＯＦＤＭ信号の往復伝送時間よりも短い所定時間先行するタイミングに設定する設定工程と、を有することを特徴とする通信装置の制御方法。
【請求項９】
請求項８に記載された通信装置の制御方法をコンピュータに実行させるためのプログラム。
【請求項１０】
請求項８に記載された通信装置の制御方法をコンピュータに実行させるためのプログラムを格納したコンピュータ読み取り可能な記憶媒体。
【手続補正２】
【補正対象書類名】明細書
【補正対象項目名】００１１
【補正方法】変更
【補正の内容】
【００１１】
上記の目的を達成するための本発明の一態様による通信システムは、以下の構成を備える。すなわち、
ＯＦＤＭ信号を用いた双方向通信を行う双方向通信システムであって、
２つの通信装置の各々は、
所定のガードインターバル長と所定の有効シンボル長を有するＯＦＤＭシンボルを、ＯＦＤＭ信号として相手の通信装置へ送信する送信手段と、
相手の通信装置から送信されたＯＦＤＭ信号を受信する受信手段と、
前記受信手段で受信したＯＦＤＭ信号のシンボル境界を含まない期間で、当該受信したＯＦＤＭ信号の復調処理を行う復調手段と、
前記２つの通信装置の少なくとも一方の通信装置において、前記送信手段によるＯＦＤＭ信号の送信タイミングを、前記受信手段で受信したＯＦＤＭ信号のシンボルタイミングに対して、前記双方向通信におけるＯＦＤＭ信号の往復伝送時間よりも短い所定時間先行するタイミングに設定する設定手段と、を備える。
【手続補正３】
【補正対象書類名】明細書
【補正対象項目名】００１２
【補正方法】変更
【補正の内容】
【００１２】
また、上記の目的を達成するための本発明の他の態様による通信装置は、以下の構成を備える。すなわち、
外部の通信装置との間でＯＦＤＭ信号の双方向通信を行う通信装置であって、
所定のガードインターバル長と所定の有効シンボル長を有するＯＦＤＭシンボルを、ＯＦＤＭ信号として相手の通信装置へ送信する送信手段と、
相手の通信装置から送信されたＯＦＤＭ信号を受信する受信手段と、
前記受信手段で受信したＯＦＤＭ信号のシンボル境界を含まない期間で、当該受信したＯＦＤＭ信号の復調処理を行う復調手段と、
前記送信手段によるＯＦＤＭ信号の送信タイミングを、前記受信手段で受信したＯＦＤＭ信号のシンボルタイミングに対して、前記双方向通信におけるＯＦＤＭ信号の往復伝送時間よりも短い所定時間先行するタイミングに設定する設定手段と、を備える。
【手続補正４】
【補正対象書類名】明細書
【補正対象項目名】００１３
【補正方法】変更
【補正の内容】
【００１３】
更に、上記の目的を達成するための本発明の他の態様による通信装置の制御方法は、
外部の通信装置との間でＯＦＤＭ信号の双方向通信を行う通信装置の制御方法であって、
送信手段が、所定のガードインターバル長と所定の有効シンボル長を有するＯＦＤＭシンボルを、ＯＦＤＭ信号として相手の通信装置へ送信する送信工程と、
受信手段が、相手の通信装置から送信されたＯＦＤＭ信号を受信する受信工程と、
復調手段が、前記受信工程で受信したＯＦＤＭ信号のシンボル境界を含まない期間で、当該受信したＯＦＤＭ信号の復調処理を行う復調工程と、
設定手段が、前記送信工程におけるＯＦＤＭ信号の送信タイミングを、前記受信工程で受信したＯＦＤＭ信号のシンボルタイミングに対して、前記双方向通信におけるＯＦＤＭ信号の往復伝送時間よりも短い所定時間先行するタイミングに設定する設定工程と、を有する。